(57)【要約】      （修正有）【課題】背面を確認可能な鏡装置において、人物が前方鏡機構の鏡に向いた状態で、人物の背面を確認するにあたって何度も人物の向きを変えたり、鏡の向きを変えるなど、煩わしさがあったが、その煩わしさを無くするとともに、人物の確認したい部分を容易に見つけられる鏡装置を提供すること。【解決手段】直角を為す一対の鏡からなる前方鏡機構７を設け、この前方鏡機構よりも後方で直角を為す一対の鏡からなる後方鏡機構８を設け、前記前方鏡機構と前記後方鏡機構との間に存在する人物Ｐの少なくとも背面を前記後方鏡機構から前記前方鏡機構の鏡に映す出すような位置に前記後方鏡機構を配設している。【選択図】図１
2008006163.tif 000002
【特許請求の範囲】
【請求項１】
直角を為す一対の鏡からなる前方鏡機構を設け、この前方鏡機構よりも後方で直角を為す一対の鏡からなる後方鏡機構を設け、前記前方鏡機構と前記後方鏡機構との間に存在する人物の少なくとも背面を前記後方鏡機構から前記前方鏡機構の鏡に映す出すような位置に前記後方鏡機構を配設したことを特徴とする背面を確認可能な鏡装置。
【請求項２】
前記前方鏡機構の直角を為す一対の鏡の前方接合部と前記後方鏡機構の直角を為す一対の鏡の後方接合部とは、前記前方鏡機構の中心と前記後方鏡機構の中心とを通る中心線上に配置されたことを特徴とする請求項１に記載の背面を確認可能な鏡装置。
【請求項３】
前記前方鏡機構と前記後方鏡機構との間には、中間側面鏡を配設したことを特徴とする請求項１に記載の背面を確認可能な鏡装置。
【請求項４】
一枚の鏡からなる前方鏡機構を設け、この前方鏡機構よりも後方で直角を為す一対の鏡からなる後方鏡機構を設け、前記前方鏡機構と前記後方鏡機構との間に存在する人物の背面を前記後方鏡機構から前記前方鏡機構の鏡に映っている正面像に隣接して映す出すような位置に前記後方鏡機構を配設したことを特徴とする背面を確認可能な鏡装置。
【請求項５】
前記後方鏡機構の直角を為す一対の鏡の接合部を通る中心線は、前記前方鏡機構の鏡の中心線に対して所定距離だけ左右方向に偏倚して配置されたことを特徴とする請求項４に記載の背面を確認可能な鏡装置。
【発明の詳細な説明】
【技術分野】
【０００１】
この発明は、背面を確認可能な鏡装置に係り、特に人物の少なくとも背面を簡便に且つ確実に確認することができる背面を確認可能な鏡装置に関するものである。
【背景技術】
【０００２】
建物のウォークインクローゼット、洗面所、居間等に設置される鏡装置においては、正面鏡に映らない人物の背面（後ろ姿）を確認するために、二枚又は三枚の合せ鏡を使用することにより、人物の向きを変えて何度も見比べている。
また、人物の背面を確認する場合に、背面鏡が正面鏡に正対した状態では、正面鏡に映ろうとする背面が人物の影になってしまい、その背面を確認することができないことから、一般的に、背面鏡を斜めに配置するか、あるいは、正面側に三面鏡を設置し、側面鏡を利用していた。
【０００３】
従来、背面鏡としては、人物の後頭部を鏡に映しつつ、両手を使用して調整可能なように、背面鏡を支持棒に螺旋状の柄を介して取り付け、支持棒の末端部に帯状装置を設けたものがある。
【特許文献１】実開平６−５５４６５号公報
【発明の開示】
【発明が解決しようとする課題】
【０００４】
ところが、従来、鏡装置において、人物の背面を確認するにあたり、何度も、人物の向きを変えたり、鏡の向きを調整したりする煩わしさが生ずるとともに、鏡像の反転効果等により、人物の確認したい部分が見つかりにくいという不都合があった。
【０００５】
そこで、この発明の目的は、人物が正面の鏡に向いた状態で、人物の少なくとも背面が見えることを可能にし、人物の背面を確認するにあたって煩わしさを無くするとともに、人物の確認したい部分を容易に見つけさせることができる背面を確認可能な鏡装置を提供することにある。
【課題を解決するための手段】
【０００６】
この発明は、直角を為す一対の鏡からなる前方鏡機構を設け、この前方鏡機構よりも後方で直角を為す一対の鏡からなる後方鏡機構を設け、前記前方鏡機構と前記後方鏡機構との間に存在する人物の少なくとも背面を前記後方鏡機構から前記前方鏡機構の鏡に映す出すような位置に前記後方鏡機構を配設したことを特徴とする。
【発明の効果】
【０００７】
この発明の背面を確認可能な鏡装置は、人物が前方鏡機構の鏡に向いた状態で、人物の少なくとも背面が見えることを可能とし、人物の背面を確認するにあたって煩わしさを無くするとともに、人物の確認したい部分を容易に見つけさせることができる。
【発明を実施するための最良の形態】
【０００８】
この発明は、人物の少なくとも背面を確認するにあたって煩わしさを無くするとともに、人物の確認したい部分を容易に見つけさせる目的を、後方鏡機構を前方鏡機構に対して特異な位置に配設して実現するものである。
以下、図面に基づいてこの発明の実施例を詳細且つ具体的に説明する。
【実施例１】
【０００９】
図１〜図３は、この発明の第１実施例を示すものである。図２において、１は建物のウォークインクローゼットである。このウォークインクローゼット１は、平面視において、前後方向Ｘの左方壁２及び右方壁３と、左右方向Ｙの前方壁４及び後方壁５とにより所定高さに形成されている。
【００１０】
このウォークインクローゼット１の内側には、人物Ｐの背面を確認可能な鏡装置６が設けられる。この鏡装置６は、直角を為す一対の鏡からなる前方鏡機構７と、この前方鏡機構７よりも後方で直角を為す一対の鏡からなる後方鏡機構８とを備える。
【００１１】
前方鏡機構７は、前方正面鏡９と前方側面鏡１０とからなる。この前方正面鏡９と前方側面鏡１０とは、前方取付具としての前方蝶番１１によって連結され、この前方蝶番１１を介して前方壁４に取り付けられている。前方正面鏡９及び前方側面鏡１０は、共に、平面鏡であり、ガラス製や金属製等により所定幅Ｗ１且つ所定高さに形成されている。前方蝶番１１は、周知のものであり、左方壁２から所定距離Ｌ１の箇所で前方壁４の内面に取り付けられている。
この場合、前方鏡機構７においては、前方正面鏡９が前方壁４に固定される一方、前方側面鏡１０が前方蝶番１１で前方正面鏡９に対して直角状態（前後方向）又は前方壁４に沿って右方で平面状態（左右方向）に維持されるように開閉可能に設けられている。
【００１２】
後方鏡機構８は、後方背面鏡１２と後方側面鏡１３とからなる。この後方背面鏡１２と後方側面鏡１３とは、後方取付具としての後方蝶番１４によって連結され、この後方蝶番１４を介して左方壁２に取り付けられている。後方背面鏡１２及び後方側面鏡１３は、前方正面鏡９及び前方側面鏡１０と同じように、共に、平面鏡であり、ガラス製や金属製等により所定幅Ｗ１且つ所定高さに形成されている。後方蝶番１４は、前方壁４から所定距離Ｌ１の箇所で左方壁２の内面に取り付けられている。
この場合、後方鏡機構８においては、後方側面鏡１３が左方壁２に固定される一方、後方背面鏡１２が後方蝶番１４で後方側面鏡１３に対して直角状態（左右方向）又は左方壁２に沿って後方で平面状態（前後方向）に維持されるように開閉可能に設けられている。
【００１３】
前方鏡機構７と後方鏡機構８とは、平面視で描出される正方形Ｓ内で、対向して配置されている。この場合、前方鏡機構７の直角を為す一対の鏡（前方正面鏡９・前方側面鏡１０）の前方接合部となる前方蝶番１１と後方鏡機構８の直角を為す一対の鏡（後方背面鏡１２・後方側面鏡１３）の後方接合部となる後方蝶番１４とは、前方鏡機構７の中心と後方鏡機構８の中心とを通る中心線である第１対角線Ｔ１上に配置される。また、前方鏡機構７と後方鏡機構８とは、前記第１対角線Ｔ１の中間部Ｏで直交する第２対角線Ｔ２に対して対称な位置で対向して配置される。
【００１４】
従って、後方鏡機構８は、前方鏡機構７と後方鏡機構間８との間に存在する人物Ｐの少なくとも背面を後方鏡機構８から前方鏡機構７の鏡である前方正面鏡９に映す出すような位置に配設されている。この場合、図２に示すように、前方鏡機構７及び後方鏡機構８の各鏡の入射角・反射角の関係により、人物Ｐの背面を見たい場合には、最適な場所として、例えば、人物Ｐが、第１対角線Ｔ１から所定距離Ｍだけ左側に位置し且つ第２対角線Ｔ２上で第１対角線Ｔ１と平行にして前方正面鏡９側を向くと良い。
【００１５】
次に、この第１実施例の作用を説明する。
【００１６】
ウォークインクローゼット１内において、鏡装置６の不使用時には、図２の破線で示すように、前方鏡機構７において前方側面鏡１０を開いて前方壁４に沿って右方で平面状態に維持するとともに、後方鏡機構８において後方背面鏡１２を開いて左方壁２に沿って後方で平面状態に維持する。これにより、鏡装置６の不使用時において、前方鏡機構７の前方側面鏡１０及び後方鏡機構８の後方背面鏡１３を前方壁４及び左方壁２に平面状態に収納させることができ、ウォークインクローゼット１内のスペースを有効に利用させることができる。
【００１７】
一方、鏡装置６の使用時には、図３に示すように、前方鏡機構７において前方側面鏡１０を閉じて前方正面鏡９に対して直角に維持するとともに、後方鏡機構８においては後方背面鏡１２を閉じて後方側面鏡１３に対して直角に維持する。
そして、人物Ｐの正面を見たい場合に、図３に示すように、人物Ｐが前方鏡機構７の前方正面鏡９の正面に向かって立つことにより、前方正面鏡９で人物Ｐの正面像（図３の破線Ａ１で示す）を鏡像として見ることができるとともに、右側の前方側面鏡１０で人物Ｐの右側の側面像（真横）（図３の破線Ａ２で示す）を鏡像として見ることができる。
【００１８】
さらに、人物Ｐの背面を見たい場合には、図１に示すように、人物Ｐが、第１対角線Ｔ１から所定距離Ｍだけ左側に位置し且つ第２対角線Ｔ２上で第１対角線Ｔ１と平行にして前方正面鏡９側を向く。
【００１９】
これにより、先ず、人物Ｐの背面が後方側面鏡１３に映り、この後方側面鏡１３に映った人物Ｐの背面が後方背面鏡１２に映り、この後方背面鏡１２に映った背面が前方側面鏡１０に映り、そして、この前方側面鏡１０に映った背面が前方正面鏡９に映ることにより、人物Ｐからは、自分の背面像（図１の破線Ｂ１で示す）を背後から見たような鏡像として見ることができる。
また、このとき、前方正面鏡９と前方側面鏡１０との前方接合部である前方蝶番１１側を見ることにより、人物Ｐの正面像（図１の破線Ｂ２で示す）を左右方向で逆に鏡像として見ることができる。
更に、前方側面鏡１０側を見ることにより、人物Ｐの右側での斜め像（図１の破線Ｂ３で示す）を鏡像として見ることができる。
【００２０】
この結果、人物Ｐが前方正面鏡９に向いた状態で、人物Ｐが自分の背面を見ることができ、人物Ｐの背面を確認するにあたって煩わしさを無くするとともに、人物Ｐの確認したい部分を容易に見つけることができ、しかも、人物Ｐの向きを変えることなく、一度に、正面と背面と斜めとを見ることができ、簡便である。
【実施例２】
【００２１】
図４は、この発明の第２実施例を示すものである。
以下の第２〜第４実施例においては、上述の第１実施例と同一機能を果たす箇所には、同一符号を付して説明する。
この第２実施例の特徴とするところは、以下の点にある。即ち、上述の第１実施例における鏡装置６は、ウォークインクローゼット１の外側で隣接した鏡部屋２１に設けられる。この鏡部屋２１は、ウォークインクローゼット１の左方壁２に連設し、該ウォークインクローゼット１の左方壁２と、前方壁４と同一平面上に配設された所定長さＬ２の鏡部屋用前方壁２２と、この鏡部屋用前方壁２２と平行に配設された所定長さＬ２の鏡部屋用後方壁２３と、左方壁２と平行に配設された所定長さＬ２の鏡部屋用側方壁２４とにより、平面視において正方形で且つ所定高さに形成されている。
この鏡部屋２１においては、例えば、前方鏡機構７が左方壁２と鏡部屋用前方壁２２ととの隅部位に配設されるとともに、後方鏡機構８が鏡部屋用後方壁２３と鏡部屋用側方壁２４との隅部位に配設される。この場合、前方鏡機構７において、前方正面鏡９が鏡部屋用前方壁２２の内面に固定されているとともに、前方側面鏡１０が前方正面鏡９に対して直角で左方壁２の外面に固定されている。また、後方鏡機構８において、後方背面鏡１２が鏡部屋用後方壁２３に固定されているとともに、後方側面鏡１３が後方背面鏡１２に対して直角で鏡部屋用側方壁２４の内面に固定されている。
【００２２】
この第２実施例の構成によれば、鏡装置６を利用したい場合に、人物Ｐがウォークインクローゼット１から鏡部屋２１内に入り、上述の第１実施例と同様に、人物Ｐが所定の場所に位置することにより、人物Ｐの背面と正面と斜めとを一度に見ることができ、しかも、鏡装置６を備えた鏡部屋２１をウォークインクローゼット１の外側で別途に容易に設けることができる。
【実施例３】
【００２３】
図５は、この発明の第３実施例を示すものである。
この第３実施例の特徴とするところは、以下の点にある。即ち、上述の第１実施例の図１のウォークインクローゼット１内の鏡装置６において、前方鏡機構７と後方鏡機構８との間には、中間側面鏡３１を配設した。詳しくは、例えば、前方鏡機構７の前方側面鏡９の後端部と後方鏡機構８の後方背面鏡１２の右端部との間には、第１対角線Ｔ１と平行な中間側面鏡３１を配設した。この中間側面鏡３１は、平面鏡であり、ガラス製や金属製等により所定高さに形成されている。
【００２４】
この第３実施例の構成によれば、上述の第１実施例と同様に、人物Ｐの向きを変えることなく、一度に、背面像（図５の破線Ｂ１で示す）と正面像（図５の破線Ｂ２で示す）と斜め像（図５の破線Ｂ３で示す）とを見ることができ、上述の第１実施例と同様な作用効果を奏し、また、中間側面鏡３１により、人物Ｐの右側（真横）（図５の破線Ｂ４で示す）を見ることができ、また、この人物Ｐの右側が角度θで前方正面鏡９に映ることから、前方正面鏡９では背面を見ている状態よりも左側を見ることにより、人物Ｐの右側の角度θだけ斜めになった斜め横状態（図５の破線Ｂ５で示す）を前方正面鏡９でも見ることができる。
この結果、人物Ｐの向きを変えることなく、一度に、正面と背面と斜め状態と右側（真横）を見ることができるとともに、前方正面鏡９では背面と右側の斜め横状態との両方を見ることができ、人物Ｐの各部を容易に見ることができる。
【実施例４】
【００２５】
図６は、この発明の第４実施例を示すものである。
この第４実施例の特徴とするところは、以下の点にある。即ち、上述の第１実施例の鏡装置６は、洗面所４１内に配設される。この洗面所４１は、平面視において前後方向Ｘが長さＬ３で且つ左右方向Ｙが長さＬ３の正方形で、左方壁４２と右方壁４３と前方壁４４と後方壁４５とにより所定高さに形成されている。この洗面所４１には、前右側隅に化粧台４６が設置されている。
この洗面所４１の鏡部屋６においては、例えば、前方鏡機構７が右方壁４３と前方壁４４との隅部位に配設されるとともに、後方鏡機構８が左方壁４２と後方壁４５との隅部位に配設される。この場合、前方鏡機構７において、前方正面鏡９が化粧台４６の前部で前方壁４４の内面に固定されているとともに、前方側面鏡１０が前方正面鏡９に対して直角で右方壁４３の内面に固定されている。また、後方鏡機構８において、後方背面鏡１２が後方壁４５の内面に固定されているとともに、後方側面鏡１３が後方背面鏡１２に対して直角で左方壁４２の内面に固定されている。
【００２６】
この第４実施例の構成によれば、鏡装置６を利用したい場合に、人物Ｐが洗面所４内に入り、上述の第１実施例と同様に、人物Ｐが所定の場所に位置することにより、人物Ｐの背面像、正面像、斜め像を一度に見ることができ、しかも、洗面所４１でも鏡装置６を容易に利用することができ、簡便である。
【実施例５】
【００２７】
図７、図８は、この発明の第５実施例を示すものである。
この第５実施例の特徴とするところは、以下の点にある。即ち、図７に示すように、洗面所５１は、平面視において前後方向Ｘが長さＬ４で且つ左右方向Ｙが長さＬ５で、左方壁５２と右方壁５３と前方壁５４と後方壁５５とにより所定高さに形成されている。この洗面所５１には、前左側隅に化粧台５６が設置されている。
【００２８】
この洗面所５１には、人物Ｐの背面を確認可能な鏡装置５７が設けられる、この鏡装置５７は、一枚の鏡からなる前方鏡機構５８と、この前方鏡機構５８よりも後方で直角を為す一対の鏡からなる後方鏡機構５９とを備える。
【００２９】
前方鏡機構５８は、化粧台５６の前部に連設されて左右方向Ｙに配置された一枚の前方正面鏡６０を備えている。この前方正面鏡６０は、平面鏡であり、ガラス製や金属製からなり、所定幅Ｗ２で且つ所定高さに形成されている。
【００３０】
後方鏡機構５９は、図７、図８に示すように、直角を為す一対の鏡として、中心となる蝶番６１により接合されて後方壁５５に取り付けられた左側後方鏡６２と右側後方鏡６３とからなる。この左側後方鏡６２と右側後方鏡６３との接合部である蝶番６１を通る中心線Ｃ１は、図７に示すように、前方鏡機構５８の鏡である前方正面鏡６０の中心線Ｃ２に対して所定距離Ｎだけ、例えば、左右方向Ｙの右側に偏倚して配置されている。また、左側後方鏡６２と右側後方鏡６３とは、蝶番６１を中心として後方壁５５に対して４５度だけ回動し、直角状態に維持されている。
【００３１】
従って、後方鏡機構５９は、前方鏡機構５８と後方鏡機構間５９との間に存在する人物Ｐの背面を後方鏡機構５９から前方鏡機構５８の前方正面鏡６０に映っている正面像に隣接して映す出すような位置に配設される。左側後方鏡６２と右側後方鏡６３とは、共に、平面鏡であり、図７、図８に示すように、ガラス製や金属製等で所定幅Ｗ３且つ所定高さに形成され、後方鏡機構５９の中心となる蝶番６１で直角に連設されている。
【００３２】
また、左側後方鏡６２と右側後方鏡６３とは、図８に示すように、角度保持機構６４により連結している。詳しくは、左側後方鏡６２と右側後方鏡６３とは、接合部位が蝶番６１の軸部６５に取り付けられた左側取付片６６と右側取付片６７とで連結されている。また、左側後方鏡６２と右側後方鏡６３とには、例えば、上面で、左側支持板６８と右側支持板６９とが設けられている。この左側支持板６８と右側支持板６９とは、蝶番６１を通る中心線Ｃ１に対して対称に配設されている。左側支持板６８には、接合部位の蝶番６１から離間した箇所で、左側枢支ピン７０によって左側連結板７１の一端側が支持されている。右側支持板６９には、接合部位の蝶番６１から離間した箇所で、右側枢支ピン７２によって右側連結板７３の一端側が支持されている。この左側連結板７１の他端側と右側連結板７３の他端側とは、左右方向Ｙに指向してスライド可能に重合される。左側連結板７１には、所定長さＫの長穴７４が形成されている。右側連結板７３には、左側連結板７１の長穴７４に挿通し且つスライド可能にスライドピン７５が設けられている。従って、左側後方鏡６２と右側後方鏡６３とのいずれか一方の鏡を、蝶番６１を中心として回動することにより、左側後方鏡６２と右側後方鏡６３とを直角状態に維持させたり、後方壁５５に沿って平面状態に収納させることができる。
【００３３】
次に、この第５実施例の作用を説明する。
【００３４】
洗面所５１内において、鏡装置５７を利用して人物Ｐの正面を見たい場合に、図７に示すように、前方鏡機構５８の前方正面鏡６０の中心線Ｃ２上で前方正面鏡６０に向かって立つことにより、前方正面鏡６０で人物Ｐの正面像（図７の破線Ｄ１で示す）を鏡像として見ることができる。
【００３５】
そして、人物Ｐの背面を見たい場合に、先ず、左側後方鏡６２と右側後方鏡６３とのいずれか一方の鏡を、蝶番６１を中心として閉じ、そして、左側後方鏡６２と右側後方鏡６３とを直角状態に維持し、その後、人物Ｐを化粧台５６の中心線Ｃ２に位置する。そうすると、人物Ｐの背面は、先ず、左側後方鏡６２から右側後方鏡６３に映り、その後、前方正面鏡６０で化粧台５６の中心線Ｃ２よりも所定距離Ｑだけ右側に位置して左右方向が逆に映る（図７の破線Ｄ２で示す）。
【００３６】
よって、前方正面鏡６０には、化粧台５６の中心線Ｃ２の正面像に隣接して人物Ｐの背面が映し出される。この結果、前方正面鏡６０には化粧台５６の中心線Ｃ２の正面像に隣接して人物Ｐの背面像が映し出されることから、前方正面鏡６０で人物Ｐの正面及び背面を同時に確認することができ、簡便である。
【００３７】
一方、鏡装置５７の不使用時には、左側後方鏡６２と右側後方鏡６３とのいずれか一方の鏡を、蝶番６１を中心として開き、そして、左側後方鏡６２と右側後方鏡６３とを平面状態にして後方壁５５に沿って維持することにより、左側後方鏡６２と右側後方鏡６３とを後方壁５５に沿って容易に収納させ、洗面所５１内のスペースを有効に利用させることができる。
【実施例６】
【００３８】
図９は、この発明の第６実施例を示すものである。
以下の第６〜第１０実施例においては、上述の第５実施例と同一機能を果たす箇所には、同一符号を付して説明する。
この第６実施例の特徴とするところは、以下の点にある。即ち、上述の第５実施例の図７の洗面所５１において、後方壁５５には、左側後方鏡６２と右側後方鏡６３とに対応する箇所で収納室８１を形成する。そして、左側後方鏡６２と右側後方鏡６３とを、この収納室８１を閉塞する扉として利用する。
【００３９】
この第６実施例の構成によれば、鏡装置５７の使用時に、左側後方鏡６２と右側後方鏡６３とを、蝶番６１を中心として直角状態に維持し、第５実施例と同様に、人物Ｐの背面等を見ることができ、一方、鏡装置５７の不使用時には、左側後方鏡６２と右側後方鏡６３とにより収納室８１を閉塞し、これにより、別途に収納室８１の扉を不要とし、構成を簡単にするとともに、左側後方鏡６２と右側後方鏡６３とを有効に利用することができる。
【実施例７】
【００４０】
図１０は、この発明の第７実施例を示すものである。
この第７実施例の特徴とするところは、以下の点にある。即ち、上述の第５実施例の図７の後方鏡機構５９において、左側後方鏡６２と右側後方鏡６３とは、回動手段９１によって自動的に直角状態又は平面状態に維持される。
この回動手段９１において、左側後方鏡６２と右側後方鏡６３との接合部位は、蝶番６１の左側取付片６６と右側取付片６７とで連結され、また、蝶番６１の左側取付片６６を連設した左側軸９２と蝶番６１の右側取付片６７を連設した右側軸９３とが後方壁５５に並設して支持されている。また、左側軸９２に左側歯車９４が固定され、右側軸９３には右側歯車９５が固定され、この左側歯車９４と右側歯車９５とが噛み合わされている。左側軸９２には、駆動部であるモータ９６のモータ軸９７が連結している。従って、モータ９６を駆動することにより、左側軸９２が回動し、この左側軸９２の回動に伴って、左側後方鏡６２と右側後方鏡６３とが同時に動作して直角状態又は平面状態に維持される。モータ９６には、洗面所５１に設置されたコントローラ９８が連絡している。また、このコントローラ９８には、左側後方鏡６２と右側後方鏡６３との角度を調整可能な増加用微調整ボタン（＋）９９−１及び減少用微調整ボタン（−）９９−２が設けられている。
【００４１】
この第７実施例の構成によれば、コントローラ９８の操作によってモータ９６を駆動することにより、左側後方鏡６２と右側後方鏡６３とを、使用時に、自動的に直角状態に維持させる一方、不使用時には、自動的に平面状態にして後方壁３に沿って左右方向Ｙに指向させて収納することができる。また、左側後方鏡６２と右側後方鏡６３との角度を、増加用微調整ボタン９９−１及び減少用微調整ボタン９９−２により微調整することができ、後方鏡機構５９の使い勝手を向上することができる。
【実施例８】
【００４２】
図１１は、この発明の第８実施例を示すものである。
この第８実施例の特徴とするところは、以下の点にある。即ち、上述の第５実施例の図７の後方鏡機構５９において、直角に維持された左側後方鏡６２と右側後方鏡６３とは、上下動手段１０１によって上下方向に移動される。
この上下動手段１０１において、直角に維持された左側後方鏡６２と右側後方鏡６３との裏側の接合部位には、上部位で上側ねじ穴１０２が形成された上側接合用部材１０３と、下部位で下側ねじ穴１０４が形成された下側接合用部材１０５とが設けられる。この上側接合用部材１０３の上側ねじ穴１０２と下側接合用部材１０５の下側ねじ穴１０４とには、例えば、上方からねじ軸１０６が螺合される。このねじ軸１０６の端部位には、動力伝達ボックス１０７が設けられる。この動力伝達ボックス１０７には、駆動部であるモータ１０８のモータ軸１０９が連結される。モータ１０８には、洗面所５１に設置されたコントローラ１１０が連絡している。
【００４３】
この第８実施例の構成によれば、コントローラ１１０の操作によってモータ１０８を駆動することにより、ねじ軸１０６が回動すると、直角に維持された左側後方鏡６２と右側後方鏡６３とが一体的に上下動し、よって、人物Ｐの背面全体を容易に確認させることができる。
【実施例９】
【００４４】
図１２は、この発明の第９実施例を示すものである。
この第９実施例の特徴とするところは、以下の点にある。即ち、上述の第５実施例の図７の後方鏡機構５９において、直角に維持された左側後方鏡６２と右側後方鏡６３とは、揺動手段１１１によって揺動されて向きが変えられる。
この揺動手段１１１において、直角に維持された左側後方鏡６２と右側後方鏡６３との接合部位には、縦軸１１２及び横軸１１３を備えた揺動制御ボックス１１４が設けられる。この揺動制御ボックス１１４には、洗面所５１に設置されたコントローラ１１５が連絡している。
【００４５】
この第９実施例の構成によれば、コントローラ１１５の操作により揺動制御ボックス１１４を駆動すると、直角に維持された左側後方鏡６２と右側後方鏡６３とが、縦軸１１２の動作により所定角度α１で首振り状態に揺動するとともに、横軸１１３の動作により所定角度α２で左右方向Ｙに回動し、人物Ｐの背面を前方正面鏡６０において正面像の周りに映すことが可能となる。
【００４６】
なお、この第９実施例においては、揺動手段１１１と上述の第８実施例の図１１の上下動手段１０１とを組み合わせた構造とすることも可能である。そして、直角に維持された左側後方鏡６２と右側後方鏡６３とを、上下動手段１０１によって上方に移動させた後で、揺動手段１１１によって所定角度だけ首振り状態に揺動することにより、人物Ｐの頭部を前方正面鏡６０に映すことも可能となる。
【実施例１０】
【００４７】
図１３は、この発明の第１０実施例を示すものである。
この第１０実施例の特徴とするところは、以下の点にある。即ち、上述の第５実施例の図７の後方鏡機構５９において、直角に維持された左側後方鏡６２と右側後方鏡６３とは、移動手段１２１によって上下方向・左右方向にスライド移動される。
この移動手段１２１において、後方壁５５には、左右方向Ｙで所定間隔に離間した一対の支持部材１２２−１、１２２−２が並設される。この一対の支持部材１２２−１、１２２−２には、一対の摺動体１２３−１、１２３−２が摺動可能に嵌装して設けられる。この一対の摺動体１２３−１、１２３−２には、上下スライド体１２４が設けられる。
一対の支持部材１２２−１、１２２−２中の一方、例えば、支持部材１２２−１には、外周面に外ねじが形成され、そして、この外ねじには摺動体１２３−１の内周面に形成した内ねじが螺合されるとともに、下端部位に上下駆動部１２５が設けられる。
また、上下スライド体１２４には、一対の支持体１２６−１、１２６−２が左右方向Ｙに所定間隔で離間して設けられる。この一対の支持体１２６−１、１２６−２の一対の挿通孔１２７−１、１２７−２には、回動軸１２８が挿通される。この回動軸１２８は、支持体１２６−１、１２６−２間で外周面に外ねじが形成されている。この回動軸１２８の外ねじには、左右スライド体１２９のねじ孔１３０が螺合される。また、回動軸１２８の端部には、左右駆動部１３１が連結される。
左右スライド体１２９には、左右スライド体１２９に固定された鏡保持部１３２で、直角に維持された左側後方鏡６２と右側後方鏡６３との接合部位が設けられる。
上下駆動部１２５と左右駆動部１３１とは、制御部１３３に連絡している。この制御部１３３には、人物Ｐの肩幅等を検出するように洗面所５１内に設置された人物検出センサ１３４が連絡している。
【００４８】
この第１０実施例の構成によれば、人物Ｐの状態を人物検出センサ１３４が検出すると、この人物検出センサ１３４の検出状態に応じた信号によって制御部１３３が上下駆動部１２５及び／又は左右駆動部１３１を駆動し、直角に維持された左側後方鏡６２と右側後方鏡６３とを上下方向Ｘ又は左右方向Ｙにスライド移動し、人物Ｐの背面全体を見せることができるとともに、人物Ｐの背面を正面像の周りに映すことを可能とし、これにより、人物Ｐの確認したい各部分を容易に見つけることができる。
【００４９】
なお、この発明においては、上述の実施例に限定されず、種々応用改変が可能であることは勿論である。
例えば、鏡装置を、ウォークインクローゼットや洗面所に配設したが、居間、玄関等の他の箇所にも設置することも可能である。
また、後方鏡機構の直角に維持された一対の鏡の為す角度を、直角以外の他の角度（例えば、６０度、１２０度等）にも調整可能である。
更に、デジタルカメラを利用し、撮影した人物の頭部等を鏡装置に映し、人物の上部も鏡に映すことも可能である。
更にまた、後方鏡機構の鏡としては、平面鏡のみならず、凹面鏡や凸面鏡を用いることも可能である。
また、ウォークインクローゼットの鏡装置において、前方前面鏡の左端部と前方側面鏡の後端部との間や、後方背面鏡の右端部と後方側面鏡の前端部との間に、ガラスを配置することも可能である。
【産業上の利用可能性】
【００５０】
後方鏡機構を前方鏡機構に対して特異な位置に配設して人物の少なくとも背面を映す出すことを、他の構造にも適用することが可能である。
【図面の簡単な説明】
【００５１】
【図１】第１実施例においてウォークインクローゼット内で一対の鏡からなる前方鏡機構と一対の鏡からなる後方鏡機構とを備えた鏡装置により人物の背面等を映したときの説明図である。
【図２】第１実施例においてウォークインクローゼット内で一対の鏡からなる前方鏡機構と一対の鏡からなる後方鏡機構とを備えた鏡装置の平面図である。
【図３】第１実施例においてウォークインクローゼット内で一対の鏡からなる前方鏡機構と一対の鏡からなる後方鏡機構とを備えた鏡装置を使用する時の平面図である。
【図４】第２実施例においてウォークインクローゼット外の鏡部屋で一対の鏡からなる前方鏡機構と一対の鏡からなる後方鏡機構とを備えた鏡装置の平面図である。
【図５】第３実施例においてウォークインクローゼット内で一対の鏡からなる前方鏡機構と一対の鏡からなる後方鏡機構とに中間側面鏡を備えた鏡装置により人物の背面等を映したときの説明図である。
【図６】第４実施例において一対の鏡からなる前方鏡機構と一対の鏡からなる後方鏡機構とを備えた鏡装置を設けた洗面所の平面図である。
【図７】第５実施例において一枚の鏡からなる前方鏡機構と一対の鏡からなる後方鏡機構とを備えた鏡装置を設けた洗面所の平面図である。
【図８】第５実施例において後方鏡機構の平面図である。
【図９】第６実施例において収納室を備えた洗面所の平面図である。
【図１０】第７実施例において回動手段を備えた後方鏡機構の平面図である。
【図１１】第８実施例において上下動手段を備えた後方鏡機構を前方から見た図である。
【図１２】第９実施例において揺動手段を備えた後方鏡機構の斜視図である。
【図１３】第１０実施例において移動手段を備えた後方鏡機構の斜視図である。
【符号の説明】
【００５２】
１  ウォークインクローゼット
６  鏡装置
７  前方鏡機構
８  後方鏡機構
９  前方正面鏡
１０  前方側面鏡
１２  後方背面鏡
１３  後方側面鏡
Ｐ  人物
【図１】
2008006163.tif 000003
【図２】
2008006163.tif 000004
【図３】
2008006163.tif 000005
【図４】
2008006163.tif 000006
【図５】
2008006163.tif 000007
【図６】
2008006163.tif 000008
【図７】
2008006163.tif 000009
【図８】
2008006163.tif 000010
【図９】
2008006163.tif 000011
【図１０】
2008006163.tif 000012
【図１１】
2008006163.tif 000013
【図１２】
2008006163.tif 000014
【図１３】
2008006163.tif 000015